(57)【要約】【課題】開閉カバーを閉じたまま該開閉カバーと固定カバーの隙間を簡単に調整することができる画像形成装置を提供すること。【解決手段】装置本体に開閉可能に設けられた開閉カバーと装置本体に固定された固定カバーを備えた画像形成装置において、前記開閉カバーと前記固定カバーの隙間を調整するための嵌合調整機構を装置本体に設ける。又、前記嵌合調整機構を、装置本体側の嵌合穴１６を備えて上下動可能に配されたリフト部材１７と、該リフト部材１７を上下動させる操作部（ダイヤル２１とカム２２）を含んで構成する。そして、前記ダイヤル２１を事務用品を収納する収納ボックス７内に設ける。【選択図】図５
2009258325.tif 000002
【特許請求の範囲】
【請求項１】
装置本体に開閉可能に設けられた開閉カバーと装置本体に固定された固定カバーを備えた画像形成装置において、
前記開閉カバーと前記固定カバーの隙間を調整するための嵌合調整機構を装置本体に設けたことを特徴とする画像形成装置。
【請求項２】
前記嵌合調整機構を、装置本体側の嵌合部を備えて上下動可能に配されたリフト部材と、該リフト部材を上下動させる操作部を含んで構成したことを特徴とする請求項１記載の画像形成装置。
【請求項３】
前記操作部を事務用品を収納する収納ボックス内に設けたことを特徴とする請求項２記載の画像形成装置。
【請求項４】
前記リフト部材を付勢手段によって上方に付勢するとともに、前記操作部を、前記リフト部材の上面に当接するカムと該カムを回動させるダイヤルで構成したことを特徴とする請求項２又は３記載の画像形成装置。
【請求項５】
前記操作部を、前記リフト部材の上面に螺合するねじで構成したことを特徴とする請求項２又は３記載の画像形成装置。
【発明の詳細な説明】
【技術分野】
【０００１】
本発明は、開閉カバーと固定カバーの隙間を調整するための嵌合調整機構を備えた画像形成装置に関するものである。
【背景技術】
【０００２】
電子写真方式によって用紙に画像を形成する複写機やプリンタ等の画像形成装置は、像担持体上に形成された潜像を現像装置によってトナー像として現像し、このトナー像を適当なタイミングで供給される用紙上に転写し、用紙上に転写されたトナー像を定着装置によって用紙に定着することが行われている。
【０００３】
斯かる画像形成装置には、例えばメンテナンス時に開閉される前カバー等の開閉カバーが装置本体の前面に開閉可能に設けられているが、この開閉カバーを閉じたときの嵌合性を高めるための調整機構が設けられている。この調整機構としては、開閉カバーの支点部のヒンジを左右若しくは前後に調整したり、開閉カバーが閉じる直前に該開閉カバーをガイドによってすくい上げる構成においてガイドを前後に動かすことによってすくい上げ量を変化させるもの等が知られている。
【０００４】
ところで、特許文献１には、用紙に画像を形成する画像形成装置と、該画像形成装置の上方に設置され原稿を光学的に読み取る読取装置とを有し、画像形成装置と読取装置との間に位置し、画像が形成された用紙が排紙される排紙空間の少なくとも一面が開放面とされ、読取装置を支持するための支持部材と、開放面を跨いで一端が支持部材に固定され、他端が読取装置と接触して上方向へ押圧して読取装置の支持を補助する補強部材を有する画像形成読取装置において、前記補強部材によって前記支持部材への固定箇所と前記読取装置との接触箇所との上下方向距離を可変とすることによって、光路の歪みによる異常画像の発生を防ぐ構成が提案されている。
【０００５】
特許文献２には、位置調整用の長孔と回転止めを設けたマグネットキャッチと、回転止めが嵌合する嵌合穴を有するステーを備え、該ステーに前記マグネットキャッチをネジによって取り付け、前記ネジを緩めることによって前記マグネットキャッチの取付位置を調整することによって前ドアの開閉力を調整する調整機構が提案されている。
【０００６】
特許文献３には、本体ユニットに対してカバーユニットを開閉自在に軸支するためのヒンジ装置において、前記本体ユニットに設けられたヒンジ受入部と嵌合し、当該ヒンジ受入部に対して上下に摺動可能な嵌合部と、前記カバーユニットに固定されるヒンジ取付部と、前記嵌合部と前記ヒンジ取付部を相互に回動可能に接続する回動軸と、前記カバーユニットの下面が前記本体ユニットの上面に対して接触した状態の閉位置にあるときに、前記本体ユニットの前記ヒンジ受入部又はこれに近接して設けられた位置決め支持部材に対して係合する位置決め係合部材を設け、前記カバーユニットが前記本体ユニットに閉じられた際に、前記本体ユニットに対する前記カバーユニットの閉位置を所定位置に規定することによって、カバーユニットの本体ユニットに対する位置ズレを解消して高品質の画像データを取得するようにした構成が提案されている。
【０００７】
特許文献４には、原稿側縁突き当て基準部材を配置した原稿台ガラスと、該原稿台ガラスを位置決めして保持する外装部材と、該外装部材に設けた位置決め突起部と、該位置決め突起部に嵌合する位置決め基準孔を有する装置本体と、該装置本体に交換可能に装着された光学系を調整する光学系調整用治具とを備えた原稿読み取り装置において、光学系を調整する光学系調整用治具に設けた位置決め突起部を装置本体に設けた位置決め基準孔に嵌合可能とすることによって、原稿側縁突き当て基準部材を装置本体の所定位置に位置決めする構成が提案されている。
【特許文献１】特開２００７−０６７５１７号公報
【特許文献２】特開２００２−２７１０５２号公報
【特許文献３】特開２００３−１４９７５４号公報
【特許文献４】特開２００１−１９７２６５号公報
【発明の開示】
【発明が解決しようとする課題】
【０００８】
ところが、前記従来の調整機構においては、開閉カバーを開けて調整した後、開閉カバーを閉じて確認する必要があるヒンジ部に目盛りを設け、開閉カバーの嵌合部の調整量に対応させてヒンジの移動量を決めることによって開閉カバーの嵌合の調整を行うようにしていたため、嵌合性の合わせ込みの調整時間がばらついたり、微妙な調整が困難であるという問題があった。
【０００９】
又、横のカバーとの嵌め込み構成では、他の上下カバー等の嵌合性が出来合いの品質になってしまい、上下カバー等を動かす必要が発生する場合があり、カバー同士の嵌合性を合わせるための調整が困難であった。
【００１０】
本発明は上記問題に鑑みてなされたもので、その目的とする処は、開閉カバーを閉じたまま該開閉カバーと固定カバーの隙間を簡単に調整することができる画像形成装置を提供することにある。
【課題を解決するための手段】
【００１１】
上記目的を達成するため、請求項１記載の発明は、装置本体に開閉可能に設けられた開閉カバーと装置本体に固定された固定カバーを備えた画像形成装置において、前記開閉カバーと前記固定カバーの隙間を調整するための嵌合調整機構を装置本体に設けたことを特徴とする。
【００１２】
請求項２記載の発明は、請求項１記載の発明において、前記嵌合調整機構を、装置本体側の嵌合部を備えて上下動可能に配されたリフト部材と、該リフト部材を上下動させる操作部を含んで構成したことを特徴とする。
【００１３】
請求項３記載の発明は、請求項２記載の発明において、前記操作部を事務用品を収納する収納ボックス内に設けたことを特徴とする。
【００１４】
請求項４記載の発明は、請求項２又は３記載の発明において、前記リフト部材を付勢手段によって上方に付勢するとともに、前記操作部を、前記リフト部材の上面に当接するカムと該カムを回動させるダイヤルで構成したことを特徴とする。
【００１５】
請求項５記載の発明は、請求項２又は３記載の発明において、前記操作部を、前記リフト部材の上面に螺合するねじで構成したことを特徴とする。
【発明の効果】
【００１６】
請求項１記載の発明によれば、装置本体に設けられた嵌合調整機構によって装置本体側の嵌合部の上下高さ位置を調整することによって、開閉カバーを閉じたまま該開閉カバーと固定カバーの隙間を簡単に調整することができる。
【００１７】
請求項２記載の発明によれば、嵌合調整機構の操作部を操作してリフト部材を上下動させることによって、該リフト部材に設けられた嵌合部の上下高さ位置が調整されるため、開閉カバーを閉じたまま該開閉カバーと固定カバーの隙間を簡単に調整することができる。
【００１８】
請求項３記載の発明によれば、嵌合調整機構の操作部を事務用品を収納する収納ボックス内に設けたため、嵌合調整機構の操作性が高められるとともに、画像形成装置の外観性が損なわれることがない。
【００１９】
請求項４記載の発明によれば、ダイヤルによってカムを回動させることによってリフト部材を上下動させることができるため、該リフト部材に設けられた嵌合部の上下高さ位置を調整して開閉カバーと固定カバーの隙間を簡単に調整することができる。
【００２０】
請求項５記載の発明によれば、ねじを回すことによってリフト部材を上下動させることができるため、該リフト部材に設けられた嵌合部の上下高さ位置を調整して開閉カバーと固定カバーの隙間を簡単に調整することができる。
【発明を実施するための最良の形態】
【００２１】
以下に本発明の実施の形態を添付図面に基づいて説明する。
【００２２】
＜実施の形態１＞
図１及び図２は本発明の実施の形態１に係る画像形成装置の斜視図、図３は同画像形成装置要部の斜視図、図４は収納ボックスカバーの正面図、図５は図４のＡ−Ａ線断面図、図６は収納ボックスカバーの正面側斜視図、図７は同収納ボックスカバーの背面側斜視図、図８は嵌合調整機構の正面側斜視図、図９は同嵌合調整機構の背面側斜視図である。
【００２３】
図１及び図２に示す画像形成装置１は複写機であって、矩形ボックス状の装置本体２を備えており、この装置本体２には、本体フレーム３に組み込まれた感光ドラム、帯電器、現像装置、定着装置等の各種プロセス機器（何れも不図示）が内蔵されている。そして、装置本体２の上面には排紙トレイ４が形成されており、この排紙トレイ４の上方には原稿を光学的に読み取るためのスキャナ部５が配置され、該スキャナ部５の手前側には操作表示部６が配置されている。
【００２４】
又、上記操作表示部６の横には、クリップやホッチキス針等の事務用品を収納するためのトレイ状の収納ボックス７とこれを覆う収納ボックスカバー８が設けられている。
【００２５】
更に、装置本体２の前面の左右には開閉カバー９と固定カバー１０が設けられており、その下方には用紙を積載収容した上下２段の給紙カセット１１，１２が着脱可能に配置されている。ここで、前記開閉カバー９は、上下のヒンジ１３，１４を中心として回動可能であって、図２及び図３に示すように手前側に開くことができ、又、ヒンジ１３，１４を中心として奥側に回動させて閉じて前記固定カバー１０と共に装置本体２の前面開口部を塞ぐことができる。尚、固定カバー１０は、装置本体２に固設されている。又、前記給紙カセット１１，１２は手前側に引き出すことができ、これに用紙を補給することができる。
【００２６】
ところで、図３に詳細に示すように、前記開閉カバー９の背面上部には内方に向かって水平に突出する嵌合突起１５が突設されており、装置本体２側には、開閉カバー９を閉じたときに前記嵌合突起１５が嵌合する嵌合穴１６が設けられている。
【００２７】
而して、本実施の形態では、装置本体２側に設けられた前記嵌合穴１６は、後述の嵌合調整機構によって上下の高さ位置が調整される。ここで、嵌合調整機構の構成の詳細を図４〜図９に基づいて説明する。
【００２８】
図５及び図７に示すように、前記収納ボックスカバー８の内部には上下方向に長いチャンネル状のリフト部材１７が上下動可能に設けられており、このリフト部材１７の前面下端にはボス１８が前方に向かって一体に突設され、このボス１８に幅方向に長い長孔状の前記嵌合穴１６が形成されている。又、リフト部材１７の前面の前記ボス１８の上方には２段円筒状の突起１９が一体に突設されており、この突起１９の中心部にはビス２０が螺合している。
【００２９】
他方、図４及び図５に示すように、収納ボックスカバー８の前面下部には、幅方向に長い長孔８ａが形成され、その上方には上下方向に長い長孔８ｂが形成されている。そして、これらの長孔８ａ，８ｂにはボス１８と突起１９がそれぞれ挿通しており、ボス１８に形成された嵌合穴１６は収納ボックスカバー８の前面下部に開口している。又、リフト部材１７の突起１９に螺合するビス２０は、収納ボックスカバー８の前面の長孔８ｂの周縁に当接してリフト部材１７の上下動をガイドする。尚、図５に示すように、収納ボックスカバー８の長孔８ａ，８ｂとボス１８及び突起１９との間には上下方向に微小隙間δが形成されている。
【００３０】
又、図５、図７及び図９に示すように、前記収納ボックス７の底面には垂直下方に延びるブラケット７ａが一体に形成されており、このブラケット７ａには水平な軸７ｂが一体に突設されている。そして、軸７ｂには一体化されたダイヤル２１とカム２２が回転可能に挿通支持されており、ダイヤル２１は、図６に示すように、収納ボックス７の底部の隅部に形成された矩形孔７ｃから一部が露出している。
【００３１】
更に、前記リフト部材１７は、図５及び図７に示すように、収納ボックスカバー８の底部との間に縮装されたスプリング２３によって上方に付勢されており、その上面が前記カム２２に当接している。
【００３２】
而して、図２及び図３に示すように、開閉カバー９を手前側に引いてこれを開いた後、該開閉カバー９をヒンジ１３，１４を中心として奥側に回動させてこれを閉じると、該開閉カバー９の背面に突設された嵌合突起１５が装置本体２側の嵌合穴１６に嵌合して開閉カバー９が位置決めされるが、生産ラインの最終工程等においては、嵌合突起１５と嵌合穴１６との上下方向の位置が適正でないために両者の嵌合が良好になされない場合には、開閉カバー９を閉じたまま、収納ボックス７の底部に露出するダイヤル２１を回して嵌合穴１６の高さ位置を調整することができる。
【００３３】
即ち、上述のようにダイヤル２１を回すと、これと一体にカム２２が回動するため、該カム２２に上面が当接するリフト部材１７が図５に示す微小隙間δの範囲で上下動し、これによって開閉カバー９側の嵌合突起１５と装置本体２側の嵌合穴１６との上下方向の位置が適正に調整されて両者の嵌合が良好になされ、収納ボックスカバー８と開閉カバー９及び固定カバー１０の隙間が簡単且つ適正に調整される。
【００３４】
以上のように、本実施の形態によれば、開閉カバー９を閉じたまま該開閉カバー９と収納ボックスカバー８及び固定カバー１０の隙間を簡単に調整することができる。そして、本実施の形態では、クリップ等の事務用品を収容する収納ボックス７内に嵌合調整機構の操作部であるダイヤル２１を設けたため、操作性が高められるとともに、画像形成装置１の外観性が損なわれることがない。
【００３５】
＜実施の形態２＞
次に、本発明の実施の形態を図１０〜図１３に基づいて説明する。
【００３６】
図９は本発明の実施の形態２に係る画像形成装置の収納ボックスカバーの断面図、図１０は収納ボックスカバーの正面側斜視図、図１２は同収納ボックスカバーの背面側斜視図、図１３は嵌合調整機構の正面側斜視図であり、これらの図においては図１〜図９に示したものと同一要素には同一符号を付しており、以下、これらについての再度の説明は省略する。
【００３７】
本実施の形態は、嵌合調整機構の操作部を実施の形態１のダイヤル２１とカム２２に代えてねじ２４としたことを特徴としており、他の構成は実施の形態１のそれと同じである。
【００３８】
即ち、本実施の形態では、図１０〜図１３に示すように、収納ボックス７の隅部には円穴状の凹部７ｄが形成されており、この凹部７ｄにねじ２４が上方から垂直に通されている。そして、このねじ２４の下端部はリフト部材１７の上部に螺合し、その頭部は収納ボックス７の凹部７ｄに露出している。
【００３９】
而して、本実施の形態においても、生産ラインの最終工程等において嵌合突起１５と嵌合穴１６との上下方向の位置が適正でないために両者の嵌合が良好になされない場合には、開閉カバー９を閉じたまま、収納ボックス７の底部に形成された凹部７ｄに頭部が露出するねじ２４をドライバ等の工具を用いて回して嵌合穴１６の高さ位置を調整する。
【００４０】
即ち、上述のようにねじ２４を回すと、これに螺合するリフト部材１７が図１０に示す微小隙間δの範囲で上下動し、これによって嵌合突起１５と嵌合穴１６との上下方向の位置が適正に調整されて両者の嵌合が良好になされ、開閉カバー９と収納ボックスカバー８及び固定カバー１０の隙間が簡単に調整される。
【００４１】
以上のように、本実施の形態によっても、開閉カバー９を閉じたまま該開閉カバー９と収納ボックスカバー８及び固定カバー１０の隙間を簡単に調整することができる。そして、本実施の形態では、クリップ等の事務用品を収容する収納ボックス７内に嵌合調整機構の操作部であるねじ２４を設けたため、操作性が高められるとともに、画像形成装置１の外観性が損なわれることがない。
【００４２】
尚、以上は本発明を複写機に対して適用した形態について説明したが、本発明は、複写機以外にプリンタやファクシミリ等の他の任意の画像形成装置に対しても同様に適用可能であることは勿論である。
【図面の簡単な説明】
【００４３】
【図１】本発明の実施の形態１に係る画像形成装置の斜視図である。
【図２】本発明の実施の形態１に係る画像形成装置の斜視図である。
【図３】本発明の実施の形態１に係る画像形成装置要部の斜視図である。
【図４】本発明の実施の形態１に係る画像形成装置の収納ボックスカバーの正面図である。
【図５】図４のＡ−Ａ線断面図である。
【図６】本発明の実施の形態１に係る画像形成装置の収納ボックスカバーの正面側斜視図である。
【図７】本発明の実施の形態１に係る画像形成装置の収納ボックスカバーの背面側斜視図である。
【図８】本発明の実施の形態１に係る画像形成装置の嵌合調整機構の正面側斜視図である。
【図９】本発明の実施の形態１に係る画像形成装置の嵌合調整機構の背面側斜視図である。
【図１０】本発明の実施の形態２に係る画像形成装置の収納ボックスカバーの断面図である。
【図１１】本発明の実施の形態２に係る画像形成装置の収納ボックスカバーの正面側斜視図である。
【図１２】本発明の実施の形態２に係る画像形成装置の収納ボックスカバーの背面側斜視図である。
【図１３】本発明の実施の形態２に係る画像形成装置の嵌合調整機構の正面側斜視図である。
【符号の説明】
【００４４】
１          画像形成装置
２          装置本体
３          本体フレーム
４          排紙トレイ
５          スキャナ部
６          操作表示部
７          収納ボックス
７ａ        ブラケット
７ｂ        軸
７ｃ        矩形孔
７ｄ        凹部
８          収納ボックスカバー
８ａ，８ｂ  長孔
９          開閉カバー
１０        固定カバー
１１，１２  給紙カセット
１３，１４  ヒンジ
１５        嵌合突起（嵌合部）
１６        嵌合穴（嵌合部）
１７        リフト部材
１８        ボス
１９        突起
２０        ビス
２１        ダイヤル（操作部）
２２        カム（操作部）
２３        スプリング（付勢手段）
２４        ねじ（操作部）
δ          微小隙間
【図１】
2009258325.tif 000003
【図２】
2009258325.tif 000004
【図３】
2009258325.tif 000005
【図４】
2009258325.tif 000006
【図５】
2009258325.tif 000007
【図６】
2009258325.tif 000008
【図７】
2009258325.tif 000009
【図８】
2009258325.tif 000010
【図９】
2009258325.tif 000011
【図１０】
2009258325.tif 000012
【図１１】
2009258325.tif 000013
【図１２】
2009258325.tif 000014
【図１３】
2009258325.tif 000015